(57)【特許請求の範囲】
【請求項１】
容器フィルムを照射する照明手段と、
前記容器フィルムを撮像する撮像装置と、
前記撮像装置から出力される映像信号を画像処理装置により処理するＰＴＰシートの外観検査装置において、
前記画像処理装置は、
長塊異物と一般異物を区別する長塊異物判別手段を有し、異物と判断する基準である基準面積値が、長塊異物については、一般異物よりも小さくなるよう、長塊異物と一般異物とで異なることを特徴とするＰＴＰシートの外観検査装置。
【請求項２】
前記長塊異物判別手段は、
連結成分の面積と、連結成分に設けた外接矩形から、長塊異物を区別することを特徴とする請求項１に記載のＰＴＰシートの外観検査装置。
【請求項３】
前記長塊異物判別手段は、
連結成分の面積Ｓと、
連結成分に設けた外接矩形の長辺Ｌの二乗との比から、
長塊異物を区別することを特徴とする請求項１または請求項２記載のＰＴＰシートの外観検査装置。
【請求項４】
請求項１乃至請求項３のいずれか一つに記載するＰＴＰシートの外観検査装置を有するＰＴＰ包装機。
【発明の詳細な説明】
【０００１】
【発明の属する技術分野】
本発明は、錠剤またはカプセルをプレス・スルー・パックシート（以下ＰＴＰシートと表記する）に包装する際に、シート上の異物の有無を検査するＰＴＰシートの外観検査装置およびＰＴＰ包装機に関する。
【０００２】
【従来の技術】
従来の、ＰＴＰシートの外観検査装置は、透明な容器フィルムに錠剤またはカプセルを収納した後、密封用フィルムによりシールする前に、照明装置により検査すべきＰＴＰシートの下方から均一な光を照射し、上方から撮像装置で撮像し、撮像装置から出力される映像信号を画像処理装置に入力する。
画像処理装置は、図７に示すように、先ず、ステップ（以下、Ｓと表記する）ａにおいて、映像信号を第１の閾値により２値化して、錠剤またはカプセルの領域と容器フィルムの領域を区別する。錠剤またはカプセルは不透明であり、また、十分な大きさがあるから明確な陰になる。従って、第１の閾値は比較的低い（暗い）レベルの閾値を選択することができる。また、錠剤カプセルの領域は、錠剤またはカプセル自体を異物と誤判定しないため、また、容器フィルムのポケット部によって生じる映像を異物と誤判定しないために、２値化で得られた錠剤またはカプセル領域を拡大して、錠剤またはカプセルの領域とする場合もある。
つぎに、Ｓｂにおいて、映像信号を第２の閾値により２値化して、容器フィルム上の異物を区別する。髪の毛や繊維屑などの小さく細い物も、異物として区別する必要があるので、第２の閾値は、第１の閾値よりも高い（明るい）レベルの閾値を選択する。
そして、Ｓｃにおいて、第１の閾値により区別した容器フィルムの領域について、第２の閾値により区別した異物の総面積を演算する。そして、その異物の総面積が一定値以上の場合を不良、一定値未満の場合を良品と判断することにより、ＰＴＰシートの外観を検査していた。
【０００３】
【発明が解決しようとする課題】
しかしながら、従来の外観検査方法では、大部分が錠剤またはカプセルの陰になりほんの一部しか表れていない異物については、表れている一部分の面積しか異物と見なさないので、見かけ上、非常に小さな面積となり、そのような異物を検出することは困難であった。
また、容器フィルムに錠剤等を充填する過程で生じる錠剤の粉は、衛生面の問題はないので、シール性を損なわない程度の量で有れば、不良として扱う必要はない。一方、毛髪や繊維屑等は衛生面の問題から、微量であっても不良とすべきであるが、従来は、総面積により異物による不良を判断していたことから、不良とする必要のない微量の錠剤の粉についても不良にせざるを得ず、歩留まりの向上を阻害していた。
そこで、本発明は、上述した問題点を解決するためになされたものであり、大部分が錠剤またはカプセルの陰になり、ほんの一部しか表れていない異物についても、確実に検出することができ、微量の錠剤の粉については不良と判定することはなく、毛髪または繊維については微量であっても、不良にすることができる、ＰＴＰシートの外観検査装置およびＰＴＰ包装機を提供することを目的とする。
【０００４】
【課題を解決するための手段】
この目的を達成するために成された請求項１に係るＰＴＰシートの外観検査装置は、容器フィルムを照射する照明手段と、前記容器フィルムを撮像する撮像装置と、前記撮像装置から出力される映像信号を画像処理装置により処理するＰＴＰシートの外観検査装置において、前記画像処理装置は、長塊異物と一般異物を区別する長塊異物判別手段を有し、異物と判断する基準である基準面積値が、長塊異物については、一般異物よりも小さくなるよう、長塊異物と一般異物とで異なることを特徴とする。
【０００５】
また、請求項２に係るＰＴＰシートの外観検査装置は、請求項１に記載するＰＴＰシートの外観検査装置であって、前記長塊異物判別手段は、連結成分の面積と、連結成分に設けた外接矩形から、長塊異物を区別することを特徴とする。
【０００６】
また、請求項３に係るＰＴＰシートの外観検査装置は、請求項１または請求項２に記載するＰＴＰシートの外観検査装置であって、前記長塊異物判別手段は、連結成分の面積Ｓと、連結成分に設けた外接矩形の長辺Ｌの二乗との比から、長塊異物を区別することを特徴とする。
【０００７】
また、請求項４に係るＰＴＰ包装機は、請求項１乃至請求項３のいずれか一つに記載するＰＴＰシートの外観検査装置を有することを特徴とする。
【０００８】
このような構成を有する本発明のＰＴＰシートの外観検査装置では、画像処理装置が長塊異物と一般異物を区別する長塊異物判別手段を有することにより、衛生的な問題のある毛髪や繊維等について、的確に検査することができる。
また、長塊異物判別手段は、連結成分の面積と連結成分に設けた外接矩形（の長辺）から長塊異物を区別すれば、あるいは、連結成分の面積Ｓと連結成分に設けた外接矩形の長辺Ｌの二乗から、長塊異物を区別すれば、複雑な処理をすることなく、容易に毛髪や繊維等の長塊異物を、一般異物と区別することができ、一度に多数の錠剤について処理をするＰＴＰシートの外観検査装置に適用することが可能となる。
【０００９】
異物と判断する基準である基準面積値が、長塊異物と一般異物とで異なれば、衛生的な問題のある毛髪や繊維等についての不良と判断する基準を甘くすることなく、シール性の問題がない程度の錠剤の粉については、良品と判断するようにすることもでき、歩留まりが向上する。
【００１０】
また、このような外観検査装置をＰＴＰ包装機に設けることにより、大部分が錠剤またはカプセルと重なって、一部が小さく錠剤またはカプセルの領域の外に出ているような異物が存在するＰＴＰシートも、確実に不良として排除でき、歩留まりの良いＰＴＰ包装機を提供することができる。
【００１１】
【発明の実施の形態】
本発明にかかる外観検査装置について、図面を参照して以下に説明する。本実施の形態では図２に示すように、ＰＴＰシートの外観検査装置１０をＰＴＰ包装機３０に装備することによって、ＰＴＰ包装機３０内でＰＴＰシートの外観検査を実施している。
【００１２】
まず、ＰＴＰシートの外観検査が実施されるＰＴＰ包装機３０について、簡単に説明する。ＰＴＰ包装機３０は、錠剤等をＰＴＰシートに自動的に包装するものである。具体的には、まず、ポリプロピレン、ＰＶＣ、などの容器フィルム４０を、フィルム送りロール３３とテンションロール３１、３２で、加熱板５０と成形板５１に送り込み、錠剤などが充填されるポケット部４４（図３参照）を容器フィルム４０に成形する。そして、容器フィルム４０にポケット部４４（図３参照）が成形されたもの４１が、錠剤投入シャッター５２の下にまで送られてくると、錠剤投入シャッター５２が各ポケット部４４（図３参照）に錠剤などを自動的に充填する。ここでは、錠剤１が各ポケット部４４（図３参照）に充填される。錠剤１を充填した後、後述するＰＴＰシートの外観検査装置により容器フィルムおよび錠剤の外観を検査する。
【００１３】
さらに、各ポケット部４４（図３参照）に錠剤１が充填された容器フィルム４１の上に、アルミ製の密封用フィルム４２をテンションロール３４、３５を介して送り込み、一対のシールロール３６で固着させる。これによって、錠剤１が各ポケット部４４（図３参照）に充填された、フィルム状のＰＴＰシート４３が製造される。かかるフィルム状のＰＴＰシート４３は、打ち抜き工程（図示せず）によりシート状に裁断された後に、図示しない不良シート排出機構やＰＴＰシート集積機構などへ順に送られる。
【００１４】
次に、ＰＴＰシートの外観検査装置について、図４のブロック図を用いて説明する。外観検査装置は、撮像装置であるＣＣＤカメラ１１、モニタ２５、図４のブロック図には記載されていないが照明装置である照明１２、画像処理装置１０などから構成される。尚、ＣＣＤカメラ１１と照明１２は、図２と図３では、ＰＴＰ包装機３０内に描かれているが、外観検査装置を構成するものの一つである。
画像処理装置１０は、Ａ／Ｄ変換器３、シェーディング補正手段１４、画像メモリ１６、シェーディング補正テーブル１８、ＣＰＵ２０、判定用メモリ２２、入出力インターフェース２３、外観検査結果及び統計データメモリ２４、カメラタイミング制御手段２６、などから構成される。
【００１５】
Ａ／Ｄ変換器３は、ＣＣＤカメラ１１で撮像した一次元イメージデータを、アナログ信号からデジタル信号に変換するものである。ここで、ＣＣＤカメラ１１について説明すると、図３に示すように、照明１２の光１３でＰＴＰシート４３を下から照らし、ＰＴＰシート４３をその幅方向に一次元撮像するものである。したがって、ＰＴＰシート４３の幅方向に一列に成形された複数のポケット部４４及び各ポケット部４４に充填された錠剤１に関する映像を同時に撮像することができる。
【００１６】
図４に戻り、画像メモリ１６は、Ａ／Ｄ変換された一次元イメージデータを順次記憶して、ＰＴＰシートの二次元イメージデータとして記憶するものである。なお、一次元イメージデータを画像メモリ１６に記憶する前に、シェーディング補正テーブル１８のデータに従って、シェーディング補正手段１４によりシェーディング補正している。尚、シェーディング補正はＰＴＰシート４３全体を照明１２の光１３で一様に照らすことは技術的に限界があることから、かかる位置の違いによる照明の明暗により生じる映像データの明度のばらつきを補正している。
【００１７】
ＣＰＵ２０は、色々の画像処理プログラムを実行するためのものであり、判定用メモリ２２などを使用して実行する。入出力インターフェース２３は、ＰＴＰ包装機３０に制御信号を送信又は受信するためのものである。これによって、例えば、ＰＴＰ包装機３０の不良シート排出機構などを制御することができる。また、モニタ２５に表示データを送信するためのものでもあり、１次元イメージデータや外観検査結果などをモニタ２５に表示させることができる。
【００１８】
外観検査結果及び統計データメモリ２４は、外観検査結果データや外観検査結果データを確率統計的に処理した統計データを記憶するものである。これらの外観検査結果データや統計データは、モニタ２５に表示させることができる。また、これらの外観検査結果データや統計データに基づいて、ＰＴＰ包装機３０に制御信号を送信することもできる。
カメラタイミング制御手段２６は、ＣＣＤカメラ１１が撮像する一次元イメージデータを、Ａ／Ｄ変換器３に取り込むタイミングを制御するものである。かかるタイミングは、ＰＴＰ包装機３０に設けられたエンコーダ（図示せず）からの信号に基づいて行われる。
【００１９】
次に、ＰＴＰシートの外観検査の処理の手順を図１のフローチャート図に基づいて説明する。かかる、ＰＴＰシートの外観検査の処理は、画像メモリ１６上の二次元化された濃淡画像に対して行われるものである。
【００２０】
まず、ステップ１により、画像メモリ１６に記憶されたＰＴＰシートの映像信号を、第１の閾値により２値化して、第１の２値化映像データを作成し、錠剤またはカプセルの領域と容器フィルムの領域に区別する。
第１の閾値は、錠剤またはカプセルは不透明であり、かつ十分な大きさがあることから明確な陰になるので、比較的低い（暗い）レベルの閾値を選択することができる。
【００２１】
錠剤またはカプセルの領域の区別は、つぎのように行うことができる。先ず、錠剤またはカプセルの連結成分を特定する。錠剤またはカプセルの連結成分の特定は、２値化した連結成分に対しラベル付け処理をする。そして、あらかじめ設定された範囲内の面積であり、あらかじめ設定された範囲内の座標に位置する連結成分を、錠剤またはカプセルの連結成分として特定する。つぎに、錠剤またはカプセルの連結成分の外接を設け、その外接を拡大して、拡大した外接の内側を錠剤またはカプセルの領域として区別する。
【００２２】
ここで、錠剤またはカプセルの連結成分の特定は、プログラムを簡略化するために、例えば座標のみ、あるいは、面積の大きさのみから特定してもよい。
また、外接は、円形の錠剤に対しては円でも良いし、錠剤またはカプセルの形状と相似形の形状、あるいは、連結成分の形状でもよいが、ＰＴＰシートには一般に多くの錠剤が包装されるため、短時間に多くの錠剤について処理することを要求されるＰＴＰシートの外観検査装置では、処理効率がよいので矩形が適している。
また、外接が矩形である場合は、錠剤またはカプセルの連結成分の、Ｘ座標の最大値を通るＹ軸に平行な線と、Ｘ座標の最小値を通るＹ軸に平行な線と、Ｙ座標の最大値を通るＸ軸に平行な線と、Ｙ座標の最小値を通るＸ軸に平行な線とにより決定すれば、外接矩形を容易に求めることができる。
【００２３】
また、外接の拡大は、照明装置あるいは容器フィルムのポケット部の形状の影響等により、後の第２の閾値により２値化したときに、ポケット部の影が三日月状またはリング状に生じる場合がある。このポケット部の影の影響を受けないように、外接をポケット部より多少大きく拡大する。ただし、後の第２の閾値により２値化したときに、ポケット部の影が発生しない容器フィルムあるいは照明装置の場合は、外接を拡大する必要はない、または、小さな拡大でよい。従って、錠剤またはカプセルの領域とは、少なくとも錠剤またはカプセルを含む領域であり、ポケットの領域を含む場合もある。
【００２４】
また、錠剤またはカプセルの領域は、容器フィルム、錠剤またはカプセルの位置が定まっていればあらかじめ設定しておいても良いが、一般に、容器フィルムのポケットは、錠剤またはカプセルに対し十分に大きく作られているため、ポケットの中の錠剤またはカプセルの位置が定まらず、また、容器フィルム自体も熱により伸び縮みすることから精度の良い検査が期待できない場合が多い。
【００２５】
つぎに、Ｓ２では画像メモリ１６に記憶されたＰＴＰシートの映像を、第２の閾値により２値化して、第２の２値化映像データを作成し、その連結成分に対しラベル付け処理をする。第２の閾値は、髪の毛や繊維等の小さな物も、異物として区別する必要があるので、第１の閾値よりも高い（明るい）レベルの閾値を選択する。
また、ラベル付けした各連結成分について、Ｘ座標の最大値Ｘｍａｘ、Ｘ座標の最小値Ｘｍｉｎ、Ｙ座標の最大値Ｙｍａｘ、Ｙ座標の最小値Ｙｍｉｎ、および面積Ｓからなるデータテーブルを作成し判定用メモリ２２へ記憶する。
【００２６】
つぎに、Ｓ３ではラベル付けされた連結成分のうち、錠剤またはカプセルの領域にすべて含まれる連結成分は、錠剤若しくはカプセルまたはポケット部の影であり、異物ではないので、ラベル付けした第２の２値化映像データ、および、先のデータテーブルから削除する。
連結成分が、錠剤またはカプセルの領域に全て含まれるかの判断は、錠剤またはカプセルの領域の映像と、第２の２値化映像データを比較することによって判断することができる。あるいは、錠剤またはカプセルの領域が、Ｘ軸とＹ軸に平行な線から成る外接矩形であれば、第２の２値化映像データの連結成分についのＸ座標が最大となる位置座標、Ｘ座標が最小となる位置座標、Ｙ座標が最大となる位置座標およびＹ座標が最小となる位置座標が、錠剤またはカプセルの領域に含まれるか否かにより判断することもできる。
【００２７】
つぎに、ラベル付けされた連結成分のうち、面積が一定値以下のものはノイズとして、同様にラベル付けした第２の２値化映像データ、および、先のデータテーブルから削除する。いわゆるノイズの他、錠剤の粉の微小なもの等が、面積が一定値以下の連結成分に該当し、錠剤の粉は、衛生的な問題は無く、また、小さければシール性にも悪影響を及ぼさないので、異物として取り扱う必要はない。また、不要なデータを削除することにより、後の異物形状値を演算する負担を軽減している。
【００２８】
つぎに、Ｓ４では残った連結成分について、長塊異物と一般異物に区分けする。ここで長塊異物とは、毛髪または繊維屑等のような、いわゆる細長い形状の異物をいい、一般異物とは、円形または正方形を含む長塊異物以外の形状の異物を言う。
具体的には異物形状値を演算し、一定値以上の場合を長塊異物、一定値未満を一般異物と判断する。異物形状値Ｉは、連結成分の面積をＳ、連結成分の外接矩形の長辺をＬとすると、次の様に求めることができる。
【数１】
0003549752.tif 000002
ここで、外接矩形の長辺Ｌは、連結成分の各座標の最大値と最小値から、（Ｘｍａｘ−Ｘｍｉｎ）と（Ｙｍａｘ−Ｙｍｉｎ）の大きい方の値として、データテーブルから求めることができる。
【００２９】
連結成分の形状と異物形状値について、図５を参照して説明する。連結成分が半径Ｒの円の場合は、連結成分の面積Ｓは、
【数２】
0003549752.tif 000003
また、外接矩形の長辺Ｌは、Ｌ＝２Ｒである。従って、図５に示すように異物形状値Ｉは半径Ｒに関係なくＩ≒２１４．６となる。
また、連結成分が一辺の長さＲの正方形の場合は、Ｘ座標と一辺とのなす角度をθとすれば、連結成分の面積Ｓは、
【数３】
0003549752.tif 000004
また、外接矩形の長辺Ｌは、Ｌ＝Ｒ（ｃｏｓθ＋ｓｉｎθ）である。従って、図５に示すように異物形状値Ｉは、θにより０から５００の範囲となる。
【００３０】
また、連結成分が短辺ｒ、長辺Ｒの長方形の場合は、連結成分の面積ＳはＳ＝ｒ・Ｒ、また、外接矩形の長辺Ｌは（Ｒｃｏｓθ＋ｒｓｉｎθ）と（ｒｃｏｓθ＋Ｒｓｉｎθ）の長い方である。
【数４】
0003549752.tif 000005
のとき、Ｌは最大となり、異物形状値Ｉも最大となる。最大の異物形状値Ｉ（ｍａｘ）は、
【数５】
0003549752.tif 000006
となる。
【００３１】
一方、異物形状値Ｉの最小は、短辺ｒと長辺Ｒの比により異なる。図５に示すように、短辺ｒが（−１＋√２）Ｒよりも長いときは、θ＝０°で最小値
Ｉ（ｍｉｎ）＝（１−ｒ／Ｒ）・１０００              （６）
となる。
また、短辺ｒがｒ＝（−１＋√２）Ｒのときは、θ＝０°における異物形状値
Ｉ（０°）＝（１−ｒ／Ｒ）×１０００                （７）
と、θ＝４５°における異物形状値
【数６】
0003549752.tif 000007
は等しく、共に最小値Ｉ（ｍｉｎ）＝（２−√２）×１０００≒５８５．８となる。
また、短辺ｒが（−１＋√２）Ｒよりも短いときは、θ＝４５°で最小値
【数７】
0003549752.tif 000008
となる。
【００３２】
短辺ｒと長辺Ｒの比による、異物形状値Ｉの最大Ｉ（ｍａｘ）、θ＝０°のときの異物形状値Ｉ（０°）、および、θ＝４５°のときの異物形状値Ｉ（４５°）を図６に示す。図から明らかなように、ｒ＝Ｒ付近では、Ｉ（４５°）≒Ｉ（ｍａｘ）であるが、ｒが十分小さくなると、例えばｒ／Ｒ≦０．２では、Ｉ（０°）≒Ｉ（ｍａｘ）となる。
ここで、区別する対象である毛髪のうち短い物は、長方形として考えることができる。毛髪は、毛根部の長さが、１ｍｍ程度はあり、また太さは、０．０５から０．１ｍｍ程度なので、短辺ｒと長辺Ｒの比、ｒ／Ｒは少なくとも０．１以下となる。従って、異物形状値Ｉの最大Ｉ（ｍａｘ）はＩ（ｍａｘ）≒Ｉ（０°）と近似できる。一方、最小Ｉ（ｍｉｎ）はＩ（ｍｉｎ）＝Ｉ（４５°）である。また、短辺ｒと長辺Ｒの比が０．１以下であれば、異物形状値Ｉは少なくとも８３４以上となり、異物形状値Ｉが少なくとも８０７以下である短辺長辺比ｒ／Ｒが０．２以上のものと、区別することができる。
【００３３】
一般には毛髪は３ｍｍ程度の長さはあることから、３ｍｍ以上の毛髪を区別するとすれば、短辺長辺比ｒ／Ｒは０．０３程度になり、（９）式から異物形状値の最小値Ｉ（ｍｉｎ）＝９３７がもとまる。従って、異物形状値Ｉが少なくとも９０１以下である短辺長辺比ｒ／Ｒが０．１以上のものと、区別することができる。
以上のように、毛髪を区別するためには、異物形状値の閾値は８００から９５０の間に設けることが適当である。そして、異物形状値の閾値以上の連結領域はは長塊異物、異物形状値の閾値未満の連結領域については一般異物として、つぎの処理をする。
【００３４】
つぎに、Ｓ３では長塊異物については長塊異物基準面積値以上、一般異物については一般異物基準面積値以上の、連結成分が存在した場合は不良、存在しなければ良品と判断する。毛髪や繊維屑等である長塊異物については非常に小さい面積の連結成分についても、例えば基準面積を０に近い値としてほとんど全ての連結成分を、異物と判断し、錠剤等の粉である一般異物については、比較的大きな面積の連結成分についてのみ、異物と判断する。従って、長塊異物については微細な異物についても検出することができるが、一般異物については、比較的大きな面積まで許容することが可能となる。
さらに、長塊異物が存在する場合、または、ある一定の面積よりも大きい長塊異物が存在すると判断した場合は、自動的にＰＴＰ包装機を停止してもよい。長塊異物が存在する場合、または、ある一定の面積よりも大きい長塊異物が存在すると判断した場合に、自動的にＰＴＰ包装機を停止すれば、早期に異物混入の原因究明とその対策をすることができ、品質と歩留まりの向上につながる。
【００３５】
また、長塊異物が存在する場合、または、ある一定の面積よりも大きい長塊異物が存在すると判断した場合は、前後の適当な範囲のシートをも不良と判断してもよい。長塊異物が存在する場合、または、ある一定の面積よりも大きい長塊異物が存在すると判断した場合に、前後の適当な範囲のシートをも不良と判断することにより、毛髪または繊維屑の混入したＰＴＰシートが、後工程へ供給されるおそれがさらに小さくなる。
なお、ここで不良と判断されたＰＴＰシートは、ＰＴＰ包装機内の打ち抜き工程により最終製品のシートサイズに切断および分離した後に、排出される。
【００３６】
【発明の効果】
本発明のＰＴＰシートの外観検査装置では、画像処理装置が長塊異物と一般異物を区別する長塊異物判別手段を有することにより、衛生的な問題のある毛髪や繊維等について、的確に検査することができる。
また、長塊異物判別手段は、連結成分の面積と連結成分に設けた外接矩形（の長辺）から長塊異物を区別すれば、あるいは、連結成分の面積Ｓと連結成分に設けた外接矩形の長辺Ｌの二乗から、長塊異物を区別すれば、複雑な処理をすることなく、容易に毛髪や繊維等の長塊異物を、一般異物と区別することができ、一度に多数の錠剤について処理をするＰＴＰシートの外観検査装置に適用することが可能となる。
【００３７】
異物と判断する基準である基準面積値が、長塊異物と一般異物とで異なれば、衛生的な問題のある毛髪や繊維等についての不良と判断する基準を甘くすることなく、シール性の問題がない程度の錠剤の粉については、良品と判断するようにすることもでき、歩留まりが向上する。
【００３８】
また、このような外観検査装置をＰＴＰ包装機に設けることにより、大部分が錠剤またはカプセルと重なって、一部が小さく錠剤またはカプセルの領域の外に出ているような異物が存在するＰＴＰシートも、確実に不良として排除でき、歩留まりの良いＰＴＰ包装機を提供することができる。
【図面の簡単な説明】
【図１】ＰＴＰシートの外観検査装置の実施例の動作を示すフローチャート
【図２】本発明のＰＴＰシートの外観検査装置の全体構成を示すブロック図である。
【図３】ＰＴＰ包装機の一部を示した斜視図であり、搬送中のＰＴＰシートのポケット部に充填された錠剤またはカプセルの外観を撮像する部分を示した図である。
【図４】本発明のＰＴＰシートの外観検査装置の機能構成を示すブロック図である。
【図５】連結成分の形状と異物形状値
【図６】連結成分が長方形の場合における、短辺長辺比ｒ／Ｒと、異物形状値の最大Ｉ（ｍａｘ）、θ＝０°における異物形状値Ｉ（０°）と、θ＝４５°における異物形状値Ｉ（４５°）
【図７】従来のＰＴＰシートの外観検査装置の動作を示すフローチャート
【符号の説明】
１            錠剤
３            Ａ／Ｄ変換器
１０          画像処理装置
１１          ＣＣＤカメラ
１２          照明
１３          光
１４          シェーディング補正手段
１６          画像メモリ
１８          シェーディング補正テーブル
２０          ＣＰＵ
２２          判定用メモリ
２３          入出力インターフェース
２４          統計データメモリ
２５          モニタ
２６          カメラタイミング制御手段
３０          ＰＴＰ包装機
３１、３２、３４、３５    テンションロール
３３          フィルム送りロール
３６          シールロール
３７          固定ロール
４０          容器フィルム
４２          密封用フィルム
４３          ブリスタシート
４４  ポケット部
５０          加熱板
５１          成形板
５２          錠剤投入シャッター
１１０  ＰＴＰシート
１１４  密封用フィルム
１１５        ポケット部
１１６  錠剤またはカプセル
１１７  容器フィルム
【図１】
0003549752.tif 000009
【図２】
0003549752.tif 000010
【図３】
0003549752.tif 000011
【図４】
0003549752.tif 000012
【図５】
0003549752.tif 000013
【図６】
0003549752.tif 000014
【図７】
0003549752.tif 000015